(57)【要約】【課題】木製の質感や美感を損うことなく、強度的に弱い部分を補強し、ボトル類の収納や陳列に適した木製箱、及びそれを用いた陳列棚を提供する。【解決手段】両側板３ａ、３ｂ、後面板４、底板５および両側板３ａ、３ｂの前部に固着された前面板６ａを有し、上面が開口する木製箱において、前面板６ａの下端面およびこの下端面に連なる裏面を覆うように、断面Ｌ字形の金属製補強部材７を固着する。【選択図】        図３
2005013251.tif 000002
【特許請求の範囲】
【請求項１】
両側板、後面板、底板および前記両側板の前部に固着された前面板を有し、上面が開口する木製箱であって、
前記前面板の下端面およびこの下端面に連なる裏面を覆うように、断面Ｌ字形の金属製補強部材を固着したことを特徴とする木製箱。
【請求項２】
金属製補強部材における前面板の裏面を覆う部分の端部に、側板の内面に当接固着された折曲片を設けたことを特徴とする請求項１記載の木製箱。
【請求項３】
前面板を、上前面板と下前面板とに２分割し、金属製補強部材を、上前面板の下端面及び裏面に固着したことを特徴とする請求項１または２記載の木製箱。
【請求項４】
前面板と後面板との間に仕切板を設け、該仕切板の上端面に金属製補強帯を、また下端面に、底板に当接する広幅の金属製補強板を、それぞれ固着したことを特徴とする請求項１〜３のいずれかに記載の木製箱。
【請求項５】
仕切板の両端上部に、下向きの溝を有する係止金具を固着し、該係止金具の溝を、前面板および後面板の上端に係合させたことを特徴とする請求項４記載の木製箱。
【請求項６】
請求項１〜５のいずれかに記載の木製箱を、前下がり傾斜するようにして、左右１対の支柱に取り付け、前記木製箱内に物品を収納して陳列しうるようにしたことを特徴とする陳列棚。
【請求項７】
複数の木製箱を、上下多段状に、かつ上段のものほど、下向き傾斜角度を大として、支柱に取り付けた請求項６記載の陳列棚。
【発明の詳細な説明】
【０００１】
【発明の属する技術分野】
本発明は、店内においてワインその他の物品を陳列するのに用いる木製箱、及びそれを用いた陳列棚に関するものである。
【０００２】
【従来の技術】
従来、ワインボトルの収納、陳列には、木製箱が好んで使用されている。
【０００３】
また、ワインボトルを寝かせた状態で収納して陳列できるようにしたワインラックも知られている（例えば、特許文献１参照）。
【０００４】
【特許文献１】
特開２００１−２７５７６１号公報
【０００５】
【発明が解決しようとする課題】
しかし、木製箱は、板材の用い方によって、強度が著しく低下する場合がある。
例えば、本来的に荷重が集中する底板は、予め荷重を想定して、それに耐えうるように材質、板厚等を選択しているが、側板には、収容物の全荷重が集中することはまれであるので、底板ほどの強度を持たせていないことが多い。
【０００６】
特に、収容物を側方より視認できるようにするため、一部の側板を、複数の板材により、それらの間に適宜の空隙を形成するようにして、他の側板の側端に固着したものにおいては、上記側板が下方に位置するように傾斜させたり、横転させたりしたとき、収容物の荷重が上記側板に集中し、特に開口寄りの板材が破損するおそれが大きい。
【０００７】
また、上記特許文献１に記載されているワインラックは、アルミニウム合金等の金属材料を用いているので、高価になるだけでなく、硬い質感を与え、ワインボトルの陳列に不適である。
【０００８】
本発明は、従来の技術が有する上記のような問題点に鑑み、木製の質感や美感を損うことなく、強度的に弱い部分を補強し、ボトル類の収納や陳列に適した木製箱、及びそれを用いた陳列棚を提供することを目的としている。
【０００９】
【課題を解決するための手段】
本発明によると、上記課題は、次のようにして解決される。
（１）両側板、後面板、底板および前記両側板の前部に固着された前面板を有し、上面が開口する木製箱において、前記前面板の下端面およびこの下端面に連なる裏面を覆うように、断面Ｌ字形の金属製補強部材を固着する。
【００１０】
（２）上記（１）において、金属製補強部材における前面板の裏面を覆う部分の端部に、側板の内面に当接固着された折曲片を設ける。
【００１１】
（３）上記（１）または（２）項において、前面板を、上前面板と下前面板とに２分割し、金属製補強部材を、上前面板の下端面及び裏面に固着する。
【００１２】
（４）上記（１）〜（３）項のいずれかにおいて、前面板と後面板との間に仕切板を設け、該仕切板の上端面に金属製補強帯を、また下端面に、底板に当接する広幅の金属製補強板を、それぞれ固着する。
【００１３】
（５）上記（４）において、仕切板の両端上部に、下向きの溝を有する係止金具を固着し、該係止金具の溝を、前面板および後面板の上端に係合させる。
【００１４】
（６）陳列棚において、上記（１）〜（５）項のいずれかに記載の木製箱を、前下がり傾斜するようにして、左右１対の支柱に取り付け、前記木製箱内に物品を収納して陳列しうるようにする。
【００１５】
（７）上記（６）項において、複数の木製箱を、上下多段状に、かつ上段のものほど、下向き傾斜角度を大として、支柱に取り付ける。
【００１６】
【発明の実施の形態】
以下、本発明の一実施形態である木製箱を用いた陳列棚を、図１〜図４を参照しながら説明する。
【００１７】
図１に示すように、本実施形態の陳列棚（Ａ）は、支柱（１）に角度を変えて取付けられた４段の木製箱（２ａ）（２ｂ）（２ｃ）（２ｄ）を備えている。各陳列箱（２ａ）（２ｂ）（２ｃ）（２ｄ）は、上段のものほど急角度になるように下向き傾斜角度を変えて取付けられ、これにより、中に収容されているワインボトル（Ｂ）のラベルが前方から見やすいようにしている。
【００１８】
図２は、代表して木製箱（２ｃ）（他の木製箱（２ａ）（２ｂ）（２ｄ）もほぼ同じ構造）の構造を示している。
【００１９】
同図に示すように、木製箱（２ａ）は、それぞれが木製の両側板（３ａ）（３ｂ）と後面板（４）と底板（５）とにより、上面および前面が開放された箱体（９）が構成され、この箱体（９）の前面に、上前面板（６ａ）と下前面板（６ｂ）とが、上下方向に所要の間隔を形成するようにして、釘またはねじ止めにより固着されている。後面板（４）と上下前面板（６ａ）（６ｂ）との間には、前後方向に向く２枚の仕切板（１２）が、所要の間隔をもって、互いに平行に取付けられている。
【００２０】
図３および図４は、木製箱（２ｃ）の製造工程を示す分解斜視図である。
図３に示すように、上前面板（６ａ）の下端面と下端部裏面とを覆うように、金属製補強部材（７）が固着されている。この金属製補強部材（７）は、断面Ｌ字形の本体部（８）と、この本体部（８）の両端に、後方に向けて直角に形成された折曲片（８ａ）とを有し、本体部（８）および折曲片（８ａ）には孔（１７）（１８）が各々形成されている。
【００２１】
金属製補強部材（７）の全長は上前面板（６ａ）の全長より両側板（３ａ）（３ｂ）の厚みだけ短く形成されている。金属製補強部材（７）の本体部（８）は孔（１７）を介して釘（またはねじ）（２０）により上前面板（６ａ）の下面（及び必要に応じて裏面）に固着されている。この状態で、折曲片（８ａ）は上前面板（６ａ）の両端部より両側板（３ａ）（３ｂ）の厚み分だけ内方に寄った位置にある。
【００２２】
図５は図２のＶ−Ｖ線断面図である。図４および図５に示すように、金属製補強部材（７）が固着された上前面板（６ａ）は、下前面板（６ｂ）と平行に並べて、両側板（３ａ）（３ｂ）の前面に釘またはねじで固着されている。折曲片（８ａ）は、両側板（３ａ）（３ｂ）の内面に当接し、孔（１８）に挿入した釘（またはねじ（１１）をもって、両側板（３ａ）（３ｂ）の内面に固着されている。
【００２３】
図４に示すように、仕切板（１２）の上端面には、金属製補強帯（１３）が、また下端面には、広幅の金属製補強板（１４）の中央部が、それぞれ釘またはねじにより固着されている。さらに仕切板（１２）の両端には、下向きの溝（１５）を有する側面視７字状の係止金具（１６）が、釘またはねじにより固着されている。
【００２４】
図２に示すように、このように金属製補強帯（１３）、金属製補強板（１４）および係止金具（１６）が固着された仕切板（１２）は、係止金具（１６）の溝（１５）が、箱体（９）の後面板（４）および上前面板（６ａ）に上から嵌合するようにして、箱体（９）に取り付けられている。この状態で、金属製補強板（１４）は箱体（９）の底板（５）に当接する。また、この状態で、仕切板（１２）を、必要に応じて釘またはねじをもって箱体（９）に固着してもよい。仕切板（１２）は金属製補強帯（１３）および金属製補強板（１４）により補強されるため、厚み方向の撓みが防止される。
【００２５】
上記実施形態では、ワインの陳列棚について説明したが、ワイン以外の物品の陳列にも利用できる。また、前面板を、上前面板（６ａ）と下前面板（６ｂ）に分割した例を示したが、これを１枚板または３枚以上の板材により構成してもよい。３枚以上とする場合は、底板（５）と連結しうる最下段の板材を除くすべての板材の下端に、上記金属製補強部材（７）を固着するのがよい。
【００２６】
【発明の効果】
（Ａ）請求項１記載の発明によると、前面板の下端面およびこの下端面に連なる裏面部分を覆うように断面Ｌ字形の金属製補強部材を固着したので、前面板に物品の重力がかかっても、前面板が撓んだり破損することが防止できるとともに、金属製補強部材は、金属板を折り曲げるだけで簡単かつ安価に加工ができ、しかも、前面板の下面および裏面に取付けられているので、外部に露呈せず、美観を損なうことがない。
【００２７】
（Ｂ）請求項２記載の発明によると、金属製補強部材の端部に形成された折曲片を、箱体の側板の内面に当接固着したので、仕切板はより強固に側板に固着され、前面板の強度が増す。
【００２８】
（Ｃ）請求項３記載の発明によると、前面板は、上前面板と下前面板とに２分割され、上前面板に金属製補強部材を固着したので、底板に固定できず取付け強度の弱い上前面板を補強できる。また、上前面板と下前面板との間隙から、収容物品を視認することができる。
【００２９】
（Ｄ）請求項４記載の発明によると、前面板と後面板との間に取付けられる仕切板の上端面に金属製補強帯を、また下端面に、底板に当接する金属製補強板をそれぞれ固着したので、仕切板の撓みを防止することができ、木製箱全体の強度が増す。
【００３０】
（Ｅ）請求項５記載の発明によると、仕切板の両端に固着した係止金具を前面板および後面板に係合させたので、仕切板を、嵌め込み操作で箱体に簡単に取付けることができるとともに、それらの相互の結合強度が増す。
【００３１】
（Ｆ）請求項６記載の発明によると、ワインボトル等の陳列に適した陳列効果の高い陳列棚を提供することができるとともに、重量の大きいワインボトル等を収容した木製箱を前下がり傾斜させても、前面板がそれらの荷重に十分耐えうるようにすることができる。
【００３２】
（Ｇ）請求項７記載の発明によると、すべての木製箱の開口部が、陳列棚の前方に位置する顧客の目線の方向を向くので、陳列効果をさらに高めることができる。
【図面の簡単な説明】
【図１】本発明の陳列棚の一実施形態を示す斜視図である。
【図２】本発明の木製箱の一実施形態の斜視図である。
【図３】同じく、上前面板を分解した斜視図である。
【図４】同じく、仕切板を分解した斜視図である。
【図５】図５は図２のＶ−Ｖ線断面図である。
【符号の説明】
（１）支柱
（２ａ）（２ｂ）（２ｃ）（２ｄ）木製箱
（３ａ）（３ｂ）側板
（４）後面板
（５）底板
（６ａ）上前面板
（６ｂ）下前面板
（７）金属製補強部材
（８）本体部
（８ａ）折曲片
（９）箱体
（１０）孔
（１１）釘
（１２）仕切板
（１３）金属製補強帯
（１４）金属製補強板
（１５）溝
（１６）係止金具
（１７）孔
（１８）孔
（２０）釘
（Ａ）陳列棚
（Ｂ）ワインボトル
【図１】
2005013251.tif 000003
【図２】
2005013251.tif 000004
【図３】
2005013251.tif 000005
【図４】
2005013251.tif 000006
【図５】
2005013251.tif 000007